(57)【要約】【課題】支持部材と側面接着を要する電子部品の実装構造において、外部からの力が加わっても、電子部品の支持部材からの脱落を防ぐ。【解決手段】略板状の電子部品１２と、略板状の電子部品１２をその側面部で接着して支持するための開口部１３ａを有する支持部材１３と、を備え、略板状の電子部品１２は、正面部側から開口部１３ａに挿入され、支持部材１３に、略板状の電子部品１２をその背面部から支持するための背面支持部１３ｃを形成する。さらに、略板状の電子部品１２は、支持部材１３の背面支持部１３ｃにて接着剤１４により封止される。また、支持部材１３は、略板状の電子部品１２をフレキシブル基板１１ごと支持する。【選択図】図４
2011097415.tif 000002
【特許請求の範囲】
【請求項１】
略板状の電子部品と、
前記略板状の電子部品をその側面部で接着して支持するための開口部を有する支持部材と、
前記略板状の電子部品の正面部に弾性部材を介して圧着され、且つ、前記支持部材と固定的に接続されるモジュールと、を備え、
前記支持部材に、前記略板状の電子部品をその背面部から支持するための背面支持部を形成したことを特徴とする電子部品の実装構造。
【請求項２】
前記略板状の電子部品は、前記支持部材の前記背面支持部にて接着剤により封止されることを特徴とする請求項１に記載の電子部品の実装構造。
【請求項３】
前記略板状の電子部品は、フレキシブル基板上に実装されていて、
前記支持部材は、前記略板状の電子部品を前記フレキシブル基板ごと支持することを特徴とする請求項１または２に記載の電子部品の実装構造。
【請求項４】
前記略板状の電子部品は撮像素子であるとともに、
前記モジュールはカメラモジュールであることを特徴とする請求項１から３のいずれか一項に記載の電子部品の実装構造。
【請求項５】
請求項１から４のいずれか一項に記載の実装構造による電子部品を備えることを特徴とする電子機器。
【発明の詳細な説明】
【技術分野】
【０００１】
本発明は、略板状の電子部品の実装構造と、その実装構造による電子部品を備える電子機器に関する。
【背景技術】
【０００２】
デジタルカメラ等の撮像素子を実装する電子機器においては、主としてＣＭＯＳ（Complementary Metal Oxide Semiconductor：相補性金属酸化膜半導体）で構成された撮像素子をフレキシブルプリント基板上に接着し、このフレキシブル基板をカメラモジュールに接着する方法が取られている（例えば特許文献１参照）。
更に近年では、このような実装構造で撮像素子の位置決め精度の向上を確保するため、フレキシブル基板に実装された撮像素子を、その側面部から樹脂性の接着剤で金属製のプレートに封止し、このプレートをカメラモジュールにネジで固定する構造が提案されている。
【先行技術文献】
【特許文献】
【０００３】
【特許文献１】特開２００９‐１３５８５３号公報
【発明の概要】
【発明が解決しようとする課題】
【０００４】
しかしながら、前述した提案のような構造の場合、外部からの衝撃によりカメラモジュール側からかかる荷重を撮像素子が受けた場合、側面部の接着剤のみでは撮像素子がプレートから外れる可能性が高いという問題が予期されていた。
【０００５】
本発明の課題は、支持部材と側面接着を要する電子部品の実装構造において、接触している他のモジュールからの力が加わっても、電子部品の支持部材からの脱落を防ぐことである。
【課題を解決するための手段】
【０００６】
以上の課題を解決するため、請求項１に記載の発明は、略板状の電子部品と、前記略板状の電子部品をその側面部で接着して支持するための開口部を有する支持部材と、前記略板状の電子部品の正面部に弾性部材を介して圧着され、且つ、前記支持部材と固定的に接続されるモジュールと、を備え、前記支持部材に、前記略板状の電子部品をその背面部から支持するための背面支持部を形成した電子部品の実装構造を特徴とする。
【０００７】
請求項２に記載の発明は、請求項１に記載の電子部品の実装構造であって、前記略板状の電子部品は、前記支持部材の前記背面支持部にて接着剤により封止されることを特徴とする。
【０００８】
請求項３に記載の発明は、請求項１または２に記載の電子部品の実装構造であって、前記略板状の電子部品は、フレキシブル基板上に実装されていて、前記支持部材は、前記略板状の電子部品を前記フレキシブル基板ごと支持することを特徴とする。
【０００９】
請求項４に記載の発明は、請求項１から３のいずれか一項に記載の電子部品の実装構造であって、前記略板状の電子部品は撮像素子であるとともに、前記モジュールはカメラモジュールであることを特徴とする。
【００１０】
請求項５に記載の発明は、請求項１から４のいずれか一項に記載の実装構造による電子部品を備える電子機器を特徴とする。
【発明の効果】
【００１１】
本発明によれば、支持部材と側面接着を要する電子部品を、接触している他のモジュールからの力が加わっても、支持部材からの脱落を防ぐことができる。
【図面の簡単な説明】
【００１２】
【図１】本発明を適用した電子機器の一実施形態の構成を示すもので、防水カメラの外装パネル等が装着された状態を示した斜視図である。
【図２】図１の外装パネル等を外した状態の筐体を示した図である。
【図３】図２の筐体の構成部品及び内装部品等を示した分解図である。
【図４】図３のレンズユニットを底面側から見た拡大図である。
【図５】図４のレンズユニットの底面部の縦断面図である。
【図６】図４の支持部材を上方から見た斜視図（ａ）と下方から見た斜視図（ｂ）である。
【図７】図６の支持部材への略板状電子部品の組み込み方を示した斜視図である。
【図８】図７の支持部材と略板状電子部品の位置決めを示した図である。
【図９】図８の支持部材と略板状電子部品の接着を示した図である。
【図１０】図９の支持部材と略板状電子部品裏面のフレキシブル基板との接着を示した図である。
【図１１】図１０の支持部材と略板状電子部品裏面のフレキシブル基板を裏返して接着の状態を示した図である。
【図１２】図１１の矢印Ａ−Ａ線に沿った断面図である。
【図１３】図１１の矢印Ｂ−Ｂ線に沿った断面図である。
【図１４】背面支持部の変形例を示す斜視図である。
【図１５】図１４の拡大図である。
【発明を実施するための形態】
【００１３】
以下、図を参照して本発明を実施するための形態を詳細に説明する。
（実施形態）
図１及び図２は本発明を適用した電子機器の一実施形態の構成として防水カメラを示したもので、１はフロントパネル、２はリアパネル、３はフロントケース、４はリアケースである。
【００１４】
実施形態において、防水カメラは、図１に示される外装用のフロントパネル１及びリアパネル２等を取り外すと、図２に示される樹脂製のフロントケース３及びリアケース４等による防水筐体が露出する。
【００１５】
図３は筐体の構成部品及び内装部品等を分解して示したもので、５はメタルフレーム、６はＬＣＤユニット、７はディスプレイプレート、８はレンズユニット、９はレンズホルダ、１０は多孔性膜である。
【００１６】
すなわち、メタルフレーム５及びＬＣＤ（Liquid Crystal Display：液晶ディスプレイ）ユニット６は、リアケース４の内部に組み込まれ、アクリル製のディスプレイプレート７は、リアケース４の外面に貼り付けられ、レンズユニット８は、撮影用のレンズ群をケース内に組み込んだモジュールで、メタルフレーム５とフロントケース３との間に収納される。そして、レンズユニット８とフロントケース３との間にエラストマー製のレンズホルダ９及び多孔性膜１０が設けられる。
【００１７】
図４はレンズユニット８を底面側から見て拡大したもので、図５はそのレンズユニット８の底面部の縦断面図であり、１１はフレキシブル基板、１２は撮像素子、１３はプレート、１４はＵＶ硬化接着剤、１５は弾性部材、１６は光学フィルタである。
【００１８】
レンズユニット８の底面には、図示のように、フレキシブル基板１１が金属製のプレート１３を介して複数（図示では三本）のネジ１９で締め付け固定されている。また、フレキシブル基板１１上には、ＣＭＯＳで構成された略板状の撮像素子１２が搭載されている。この撮像素子１２は、プレート１３でフレキシブル基板１１ごと支持されている。
【００１９】
支持部材であるプレート１３は、図６に示すように、撮像素子１２をその側面部で接着して支持するための開口部１３ａが形成されるとともに、この開口部１３ａの一側部を上方に屈曲した立ち上げ部１３ｂと、開口部１３ａの他側部を下方にコ字状に屈曲した背面支持部１３ｃとが一体に形成されている。
【００２０】
図７はプレート１３への撮像素子１２の組み込み方を示したもので、図示のように、プレート１３の下面に対し斜め下方から、フレキシブル基板１１ごと撮像素子１２を、背面支持部１３ｃによるコ字状部に挿入する。これにより、撮像素子１２は、図８に示すように、プレート１３の開口部１３ａに位置決めされる。
【００２１】
次に、プレート１３の開口部１３ａの両側部と撮像素子１２の両側面部とに沿って、図９に示すように、ＵＶ（Ultraviolet ray：紫外線）の照射で硬化するＵＶ硬化接着剤１４をそれぞれ塗布する。その後、ＵＶを照射してＵＶ硬化接着剤１４を硬化させる。
【００２２】
さらに、プレート１３の背面支持部１３ｃの先端部に沿って、図１０に示すように、フレキシブル基板１１との間の隙間にＵＶ硬化接着剤１４を塗布・充填する。その後、ＵＶを照射してＵＶ硬化接着剤１４を硬化させて封止する。
【００２３】
図１１はプレート１３とフレキシブル基板１１を裏返して接着の状態を示したもので、図１２はその矢印Ａ−Ａ線に沿った断面図、図１３は同じく矢印Ｂ−Ｂ線に沿った断面図である。
【００２４】
図示のように、撮像素子１２は、プレート１３の背面支持部１３ｃによりＵＶ硬化接着剤１４を介して支持されているので、上方からの荷重に対し、撮像素子１２の下方への移動を抑えることができる。また、落下等の衝撃時における撮像素子１２の外れも防止できる。
【００２５】
なお、図５に示されるように、撮像素子１２の周囲には、ラバーによる弾性部材１５の一部が当接している。この弾性部材１５の上は、レンズユニット８の下部内に組み込んだＯＬＰＦ（Optical Low Pass Filter）による光学フィルタ１６が配置されている。
【００２６】
以上、実施形態の防水カメラによれば、プレート１３に撮像素子１２の背面支持部１３ｃを設けたことで、プレート１３と両側面部が接着剤１４で接着された撮像素子１２を、弾性部材１５を介して光学フィルタ１６が接触しているレンズユニット８からの力が加わっても、プレート１３からの脱落を防ぐことができる。
【００２７】
（変形例）
図１４及び図１５は背面支持部１３ｃの変形例を示すもので、図示のように、フレキシブル基板１１の背面の略中央に他の電子部品１７・１８が搭載されていて、プレート１３の背面支持部１３ｃを、前述したように直線状として接着できない場合は、図示のように、背面支持部１３ｃを、略中央の他の電子部品１７・１８を避けた凹凸形状とする。
【００２８】
そして、背面支持部１３ｃの他の電子部品１７・１８を避けた両側の凸形状部において、フレキシブル基板１１との間の隙間にＵＶ硬化接着剤１４を、分割してそれぞれ塗布・充填し、その後、ＵＶを照射してＵＶ硬化接着剤１４を硬化させて封止する。
【００２９】
（他の変形例）
以上の実施形態においては、カメラとしたが、本発明はこれに限定されるものではなく、カメラを備える携帯電話などの機器であってもよい。
また、電子部品としては、撮像素子に限らず、略板状であれば何でもよい。
さらに、電子部品、支持部材、開口部、背面支持部、弾性部材、及びモジュールの形状等も任意であり、その他、具体的な細部構造等についても適宜に変更可能であることは勿論である。
【符号の説明】
【００３０】
１  外装パネル
２  外装パネル
３  筐体
４  筐体
８  モジュール
１１  フレキシブル基板
１２  略板状電子部品
１３  支持部材
１３ａ  開口部
１３ｂ  立ち上げ部
１３ｃ  背面支持部
１４  接着剤
１５  弾性部材
１６  光学フィルタ
１７  他の電子部品
１８  他の電子部品
１９  ネジ
【図１】
2011097415.tif 000003
【図２】
2011097415.tif 000004
【図３】
2011097415.tif 000005
【図４】
2011097415.tif 000006
【図５】
2011097415.tif 000007
【図６】
2011097415.tif 000008
【図７】
2011097415.tif 000009
【図８】
2011097415.tif 000010
【図９】
2011097415.tif 000011
【図１０】
2011097415.tif 000012
【図１１】
2011097415.tif 000013
【図１２】
2011097415.tif 000014
【図１３】
2011097415.tif 000015
【図１４】
2011097415.tif 000016
【図１５】
2011097415.tif 000017
【手続補正書】
【提出日】平成22年10月4日(2010.10.4)
【手続補正１】
【補正対象書類名】明細書
【補正対象項目名】０００５
【補正方法】変更
【補正の内容】
【０００５】
本発明の課題は、支持部材と側面接着を要する電子部品の実装構造において、外部からの力が加わっても、電子部品の支持部材からの脱落を防ぐことである。
【手続補正２】
【補正対象書類名】明細書
【補正対象項目名】０００６
【補正方法】変更
【補正の内容】
【０００６】
以上の課題を解決するために、請求項１に記載の発明は、略板状の電子部品と、前記略板状の電子部品をその側面部で接着して支持するための開口部を有する支持部材と、を備え、前記略板状の電子部品は、正面部側から前記開口部に挿入され、前記支持部材に、前記略板状の電子部品をその背面部から支持するための背面支持部を形成したことを特徴とする。
【手続補正３】
【補正対象書類名】明細書
【補正対象項目名】０００９
【補正方法】変更
【補正の内容】
【０００９】
請求項４に記載の発明は、請求項１から３のいずれか一項に記載の電子部品の実装構造であって、前記支持部材と固定的に接続されるモジュールを更に備え、前記略板状の電子部品は撮像素子であるとともに、前記モジュールはレンズユニットであることを特徴とする。
請求項５に記載の発明は、請求項４に記載の電子部品の実装構造であって、前記レンズユニットは、光学フィルタを含み、前記撮像素子の正面部は、前記光学フィルタと弾性部材を介して圧着されている、ことを特徴とする。
【手続補正４】
【補正対象書類名】明細書
【補正対象項目名】００１０
【補正方法】変更
【補正の内容】
【００１０】
請求項６に記載の発明は、請求項１から５のいずれか一項に記載の実装構造を備える電子機器を特徴とする。
【手続補正５】
【補正対象書類名】明細書
【補正対象項目名】００１１
【補正方法】変更
【補正の内容】
【００１１】
本発明によれば、支持部材と側面接着を要する電子部品を、外部からの力が加わっても、支持部材からの脱落を防ぐことができる。
【手続補正６】
【補正対象書類名】特許請求の範囲
【補正対象項目名】全文
【補正方法】変更
【補正の内容】
【特許請求の範囲】
【請求項１】
略板状の電子部品と、
前記略板状の電子部品をその側面部で接着して支持するための開口部を有する支持部材と、
を備え、
前記略板状の電子部品は、正面部側から前記開口部に挿入され、
前記支持部材に、前記略板状の電子部品をその背面部から支持するための背面支持部を形成したことを特徴とする電子部品の実装構造。
【請求項２】
前記略板状の電子部品は、前記支持部材の前記背面支持部にて接着剤により封止されることを特徴とする請求項１に記載の電子部品の実装構造。
【請求項３】
前記略板状の電子部品は、フレキシブル基板上に実装されていて、
前記支持部材は、前記略板状の電子部品を前記フレキシブル基板ごと支持することを特徴とする請求項１または２に記載の電子部品の実装構造。
【請求項４】
前記支持部材と固定的に接続されるモジュールを更に備え、
前記略板状の電子部品は撮像素子であるとともに、
前記モジュールはレンズユニットであることを特徴とする請求項１から３のいずれか一項に記載の電子部品の実装構造。
【請求項５】
前記レンズユニットは、光学フィルタを含み、
前記撮像素子の正面部は、前記光学フィルタと弾性部材を介して圧着されている、
ことを特徴とする請求項４に記載の電子部品の実装構造。
【請求項６】
請求項１から５のいずれか一項に記載の実装構造を備えることを特徴とする電子機器。